(57)【要約】  燃料電池（２）に再利用反応ガス（３）を供給するための装置（１）であって、加湿すべき反応ガス（３）用の第１の入口（５）及び水分キャリア（７）用の第２の入口（６）を有する加湿器（４）を備え、第１の入口（５）及び／又は第２の入口（６）にフィルター装置（８）が予め接続されている、装置。【選択図】図１
2009507350.tif 000002
【特許請求の範囲】
【請求項１】
再利用反応ガス（３）を燃料電池（２）に供給するための装置（１）であって、加湿すべき前記反応ガス（３）用の第１の入口（５）及び水分キャリア（７）用の第２の入口（６）を有する加湿器（４）を備えており、前記第１の入口（５）及び／又は前記第２の入口（６）の前にフィルター装置（８）が接続されている、装置。
【請求項２】
前記フィルター装置（８）が、粒子フィルターを含む、請求項１に記載の装置。
【請求項３】
前記フィルター装置（８）が、化学フィルター（９）を含む、請求項１又は２に記載の装置。
【請求項４】
前記フィルター装置（８）が、活性炭層（１０）を含む、請求項１〜３の何れか１項に記載の装置。
【請求項５】
前記フィルター装置（８）が、微細フィルター（１１）を含む、請求項１〜４の何れか１項に記載の装置。
【請求項６】
前記フィルター装置（８）が、静電フィルター層（１２）を含む、請求項１〜５の何れか１項に記載の装置。
【請求項７】
前記加湿器（４）が、膜加湿器の形態を有する、請求項１〜６の何れか１項に記載の装置。
【請求項８】
前記加湿器（４）が、中空繊維（１３）を含む、請求項７に記載の装置。
【請求項９】
前記装置（１）が、事前構成可能なユニットを形成する、請求項１〜８の何れか１項に記載の装置。
【請求項１０】
前記装置（１）が、ハウジング（１４）内に配置されている、請求項１〜９の何れか１項に記載の装置。
【請求項１１】
前記装置（１）の前にガス搬送設備（１５）が接続されている、請求項１〜１０の何れか１項に記載の装置。
【請求項１２】
前記ガス搬送設備（１５）の前にプレフィルター（１６）が接続されている、請求項１１に記載の装置。
【請求項１３】
前記ガス搬送設備（１５）の前に吸音材（１７）が接続されている、請求項１１又は１２に記載の装置。
【請求項１４】
前記反応ガス（３）が、燃料電池（２）のカソードガスとなる、請求項１〜１３の何れか１項に記載の装置。
【請求項１５】
前記反応ガス（３）が、燃料電池（２）のアノードガスとなる、請求項１〜１３の何れか１項に記載の装置。
【請求項１６】
前記フィルタ装置（８）が、センサー設備（１８）を含む、請求項１〜１５の何れか１項に記載の装置。
【発明の詳細な説明】
【技術分野】
【０００１】
本発明は、再利用反応ガスを燃料電池に供給するための装置に関し、それは、加湿すべき燃料ガス用の第１の入口及び水分キャリア用の第２の入口を有する加湿器を備える。
【背景技術】
【０００２】
そのような装置は一般に知られている。例えば、高分子電解質膜燃料電池（ＰＥＭ燃料電池）などの特定の種類の燃料電池の場合には、最大効率を達成するためには燃料電池膜を絶えず加湿することが必要である。加湿は、燃料電池に供給されるガスの水分濃度を加湿器を用いて高めることによって行われる。加湿器の効率を最高レベルにし且つ水分の移動を制御可能なものとするためには、均一な供給流れが必要とされる。この目的のために、多くの場合、加湿器の前にガス搬送設備が接続される。しかしながら、サージ中で運転されるガス搬送設備は、加湿器への供給流を均質にすることができない。さらに、圧力サージは、時期尚早な劣化や破損をもたらし得る。多くの場合、加湿器のためには限られた構造空間のみが利用可能であり、それによって、好ましくない供給流、例えば、歪曲したり非対称である供給流がもたらされる。
【発明の開示】
【発明が解決しようとする課題】
【０００３】
本発明は、加湿器への供給流が改善された装置を提供することを課題とする。
【課題を解決するための手段】
【０００４】
この課題を解決すべく、第１の入口及び／又は第２の入口にフィルター装置を接続する。フィルター装置は、粒子フィルター（例えば、不織材料）の形態を有し、均一な流れをもたらす圧力イコライザーを形成する。可搬式燃料電池は動的に運転され、この結果、圧力変動が生じるため、この構成は可搬式用途の場合に特に有利である。コンパクトな定置式設備についても同様である。接続されたガス搬送設備の圧力サージは、フィルター装置にて弱められる。加湿器への均一化された供給流によって、水分の移動は改善され、それによって小さい構造空間という要件が達成され得る。フィルター装置は、金網、織布、穿孔ラティス（perforated lattice）又はダイアフラムを有することができる。これらの設備は、フィルター装置のための支持効果を有するのに加え、さらに改善された流れをもたらす。好ましくは、フィルター装置は、粒子フィルターの形態を有する。これを用いることで、加湿器の時期尚早な劣化や破損又は効率低下を引き起こす可能性のある粒子をろ過することができる。この場合、一方では、燃料電池のカソード側に反応ガスとして供給される周囲空気が精製され、他方では、水分キャリアを形成するカソードオフガスも精製され得る。カソードオフガスは、燃料電池からの汚染物質（contaminant）を含有し得、それは精製されたカソードオフガスが加湿器へと供給されるようにフィルター装置にて保持される。
【０００５】
フィルター装置は、化学フィルターを含むことができる。化学フィルターは、例えば酸性及び／又は塩基性ガスをろ過して、腐食性ガスの作用による加湿器及び燃料電池の時期尚早な劣化や破損を防止する。
【０００６】
フィルター装置は、活性炭から成る層を含むことができる。こうしてフィルター装置は、１つのフィルターユニットを形成するよう組み合わせ得る粒子フィルターと活性炭フィルターとを含む。他のフィルター装置は、活性炭層を含むことができる。この場合、活性炭は、装置に応じて、吸着フィルター及び／又は吸収フィルターを形成する。活性炭は、広範な化学成分及び粒子をろ過するのに適している。他のフィルター装置では、活性炭に代えてあるいはそれに加えて、他のソーベントも設けられる。これらは、物理収着及び／又は化学収着によっても機能し得る。例えば、含浸炭素（impregnated carbon）、二酸化ケイ素、アルミノシリケート、酸化アルミニウム又はイオン交換剤が考えられる。
【０００７】
フィルター装置は、微細フィルターを含むことができる。微細フィルターを用いることによって、精製すべき媒体から微細粒子や液体成分をろ過することができる。活性炭層を下流の微細フィルターに接続することができ、活性炭粒子を保持することもできる。
【０００８】
フィルター装置は、静電フィルター層を含むことができる。微細粒子は、低圧損の静電フィルター材料によってろ過し得る。静電的相互作用の結果、非帯電フィルター材料の場合よりも、同じろ過性能を達成するために、細孔をより大きく形成することができる。ろ過材は、簡便な方法によってガス気流中に配置することができ、且つ容易に交換することができる。
【０００９】
加湿器は、膜加湿器の形態を有し得る。膜加湿器では、水分を含むガス気流と、これから加湿されるガス気流とは、水透過性の膜によって隔てられている。原則として、水分の輸送は、毛管作用あるいは拡散作用によって起こり得る。両メカニズムは、汚染物質（contaminant）に敏感である。膜を介する輸送には、膜の界面現象は非常に重要である。これらは、表面の汚染物質の影響を受ける（例えば、膜の親水性挙動並びに濡れ挙動は汚染物質によって変化する）。細孔は、粒子によって閉塞され得る。官能基（functional group）は、汚染物質あるいは有害物質によって妨害され得る。膜加湿器の場合、カソード側の水を含有する使用済み空気は、加湿のために有利に用いることができ、それによって、水を別個に供給することを省くことができる。また、流れの設計並びに加湿器を包囲する膜を用いることで、フィルター装置との組み合わせで、改善されたノイズ低減効果が得られる。他の実施形態では、加湿器は、スプレー加湿器の形態を有し得る。スプレー加湿器は、アノードガスの加湿を行う場合に有利である。アノードガスは酸素（例えば、大気中の酸素）と反応するからである。スプレー加湿器の場合、加湿は、液体の水を例えばノズルを通してスプレーすることによって行う。水には、カソードオフガスからの凝縮水を用いることができる。液体の水、特にカソードオフガスから得た水を用いる場合は、予備精製が必要である。汚染物質によってノズルが閉塞してしまう場合があるからである。周囲空気から成るカソードガスの加湿に関しても、精製は必要である。周囲空気からの汚染物質がノズル上に付着して加湿器の運転障害につながるからである。
【００１０】
加湿器は、中空繊維を含むことができる。中空繊維は非常に大きな表面を有しており、それによって少数の中空繊維によって高い加湿性能を達成することができ、小さなスペースしか必要としない。中空繊維の場合、例えば、水分を含むガス気流は繊維の周囲を流れ、他方のガス（例えば、加湿すべきガス）は繊維の内側に沿って流れる。中空繊維加湿器の場合、予備精製はさらに重要である。中空繊維の断面は小さく、粒子が内側に侵入すると閉塞あるいは破損するからである。
【００１１】
装置は、予め構成し得るユニットを形成し得る。燃料電池に搭載する前にフィルター装置と加湿器とがユニットとして組み合わせられるモジュール型構造においては、搭載するのに必要となる部品が少なく、燃料電池への搭載が容易になる。
【００１２】
装置は、ハウジング内に配置することができる。フィルター装置と加湿器から成るユニットは、その搭載がさらに簡易化される結果、ハウジング内に特にコンパクトな態様にて搭載される。フィルター装置と加湿器とを接続する連結部（例えば、チューブやホース）は省くことができる。
【００１３】
装置の前に、ガス搬送設備を接続することができる。ガス搬送設備を用いることによって、ガス気流の圧力並びに搬送が増大する。ガス搬送設備の装置に応じて、圧力サージが生じ、それは、加湿器の前に接続されたフィルター装置内で弱められる。ガス搬送設備としては、多くの場合、メンブレンポンプが用いられる。この態様では、搬送すべき媒体が完全に密閉されるからである。しかしながら、メンブレンポンプの場合には圧力の脈動が起こる。それは、フィルター装置内で弱められ、それによって、加湿器に供給される流れは均質となり、最適な効率がもたらされ、十分に制御可能となる。
【００１４】
空気搬送設備の前にプレフィルターを接続することができる。プレフィルターは、ガス搬送設備並びに当該装置内への粒子の侵入、時期尚早な劣化や破損を防止する。
【００１５】
空気搬送設備の前に吸音材を接続することができる。特にガス搬送設備によって起こる騒音は、この吸音材によって防止される。
【００１６】
反応ガスは、燃料電池のカソードガスとなり得る。酸素含有媒体（例えば、ＰＥＭ燃料電池における周囲空気）は、カソードに供給される。カソード側への水の供給は、アノード側への供給の実施を示すものではないが、カソード使用済み空気は加湿のために差し支えなく利用し得るため、技術的に簡単である。
【００１７】
反応ガスは、燃料電池のアノードガスを形成し得る。燃料、通常は水素、は、アノードへと流される。ＰＥＭ燃料電池の場合、アノード側を加湿することが必要である。乾燥すると膜の抵抗が増し、その結果、性能の低下につながるからである。しかしながら、この場合、反応ガス中に酸素が入らないようにすることが必要である。酸素は水素−酸素反応という制御し難い態様にて水素と反応し、燃料電池の破壊をもたらすからである。
【００１８】
フィルター装置は、センサー設備を含むことができる。センサー設備を用いることによって、フィルター装置の状態をモニタし、測定したパラメータを加湿器又は燃料電池を制御するための評価ユニットとして利用することができる。このプロセスにおいて、通過する流体の特に温度、水分、及び流速をセンサー設備において測定することができる。これらのパラメータを用いることで、フィルター装置のろ過性能の低下、従ってフィルター装置の交換の必要性を伝えることができる。
【発明を実施するための最良の形態】
【００１９】
本発明による装置の実際の例を、図面を用いて以下にさらに詳細に説明することとする。
【００２０】
図１は、燃料電池２に再利用反応ガス３を供給するための装置１を示している。反応ガス３は、燃料電池２のカソード側に供給されるこの設計の場合には周囲空気である。装置１は、第１の入口５及び第２の入口６を有する膜加湿器として形成された加湿器４を有する。第１の入口５において加湿器４に反応ガスが導入され、第２の入口６において加湿器４に水分キャリア７が導入される。水分キャリア７は、水を含有するカソード使用済み空気から成る。この態様では、第１の入口５の前にフィルター装置８が接続されている。当該フィルター装置８は、粒子フィルターとして形成されており、平坦な面として形成された不織材料から成る。フィルター装置８は、不織材料の層に加えて、活性炭層１０から成る化学フィルター９を有する。さらに、フィルター装置は、静電フィルター材料１２から成る微細フィルター１１を有する。当該装置１の前には、メンブレンポンプとして形成されたガス搬送設備１５が接続されている。
【００２１】
図２記載の装置１は図１記載の装置１に対応する。この態様では、第２の入口６の前に別のフィルター装置８が接続されている。水分キャリア７を形成するカソードオフガスは、その別のフィルター装置によって精製される。
【００２２】
図３は、ガス搬送設備１５の前に、吸音材１７と組み合わせられたプレフィルター１６が接続されている、図２記載の装置１を示している。小さいスペースという要件の結果、この構成は、特に可搬式用途に適している。
【００２３】
図４は、燃料電池２に再利用反応ガス３を供給するための装置１を示している。この態様では、反応ガス３は、燃料電池２のアノード側に供給される水素である。装置１は、第１の入口５及び第２の入口６を有する膜加湿器として形成された加湿器４を備える。加湿すべき反応ガス３は第１の入口５へと導入され、水分キャリア７は第２の入口６にて加湿器４へと導入される。水分キャリア７は、水を含有するカソード使用済み空気から成る。この態様では、第２の入口６の前にフィルター装置８が接続されている。
【００２４】
図５は、予め構成可能なユニットとして形成された装置１を示している。フィルター装置８と加湿器４がハウジング１４内に配置されている。フィルター装置８は、プレフィルター１５と、プリーツ加工されたフィルターとして形成された粒子フィルター１６とを含む。活性炭層から成る化学フィルター９が、粒子フィルター１６の下流に接続されている。微細フィルター１１を形成する静電フィルター層１２が、化学フィルター９の下流に接続されている。フィルター装置８の下流に、センサー設備１８が配置される。加湿器４は膜加湿器の形態を有し、当該加湿器４内には多数の水透過性中空繊維が存在する。この装置１はまた、吸音材としても機能する。
【図面の簡単な説明】
【００２５】
【図１】本発明による、カソードガスを加湿するための装置
【図２】カソードオフガスを精製するための追加のフィルター装置を有する装置
【図３】プレフィルターと吸音材とが接続された装置
【図４】カソードガスを加湿するための装置
【図５】ハウジング内にて予め構成可能なユニットしての装置
【図１】
2009507350.tif 000003
【図２】
2009507350.tif 000004
【図３】
2009507350.tif 000005
【図４】
2009507350.tif 000006
【図５】
2009507350.tif 000007
【国際調査報告】
2009507350.tif 000008
2009507350.tif 000009
2009507350.tif 000010
2009507350.tif 000011
2009507350.tif 000012